(57)【要約】【課題】本発明では、乳幼児をしっかりと着座させておくことができるとともに、乳幼児の近傍に沐浴で汚れた湯が残留し難い乳幼児の沐浴に最適な乳幼児用椅子の提供を目的とする。【解決手段】接地面に接地させる接地部１０を下部外周側に有するとともに、乳児が着座する座部１２を有して形成した乳幼児の沐浴などに用いられる乳幼児用椅子１０であって、上記座部１２の側へ流れ込んだ液体を乳幼児用椅子本体の内側に有する内部空間Ａへと流入可能とする流入孔１３を、上記座部１２、或いは、その近傍部位に形成し、上記接地部１１の周方向における、少なくとも一部位に、上記内部空間Ａに流入した流体を乳幼児用椅子本体の外側へ流出可能な流出口１８を形成した乳幼児用椅子１０。【選択図】図１
2007185401.tif 000002
【特許請求の範囲】
【請求項１】
接地面に接地させる接地部を下部外周側に有するとともに、乳児が着座する座部を有して形成した乳幼児用椅子であって、
上記座部の側へ流れ込んだ液体を乳幼児用椅子本体の内側に有する内部空間へと流入可能とする流入孔を、上記座部、或いは、その近傍部位に形成し、
上記接地部の周方向における、少なくとも一部位に、上記内部空間に流入した流体を乳幼児用椅子本体の外側へ流出可能な流出口を形成した
乳幼児用椅子。
【請求項２】
上記接地部は、該接地部の周方向における所定の一部位に上記流出口を有して形成した
請求項１に記載の乳幼児用椅子。
【請求項３】
上記接地部は、複数の接地片を具備して構成されるとともに、
乳幼児用椅子本体を接地面に接地させたとき上記流出口が確保される間隔を隔てて、複数の上記接地片を上記接地部における周方向にかけて配設させて構成した
請求項１に記載の乳幼児用椅子。
【請求項４】
上記流出口を、上記接地部における上下方向の所定部位に形成した
請求項１から請求項３のうちいずれか１項に記載の乳幼児用椅子。
【請求項５】
上記座部は、乳幼児用椅子本体の中央側に有して、上記接地部により支持された状態で直接、又は、間接的に張設されている
請求項１から請求項４のうちいずれか１項に記載の乳幼児用椅子。
【請求項６】
上記接地部に対して直接、又は、間接的に積載されている支持部を有し、
上記座部は、乳幼児用椅子本体の中央側に有して、上記支持部により支持された状態で直接、又は、間接的に張設されている
請求項１から請求項４のうちいずれか１項に記載の乳幼児用椅子。
【発明の詳細な説明】
【技術分野】
【０００１】
この発明は、風呂場の床面など通常、滑り易いといわれる水回り設備周辺における接地面であっても、乳幼児を安定して着座させることのできる乳幼児の沐浴に最適な乳幼児用椅子に関する。
【背景技術】
【０００２】
乳幼児の沐浴中に乳幼児が嫌がったり、動いたりしても保護者がスムーズに沐浴させることができるよう、乳幼児用椅子が用いられる。この乳幼児用椅子は、乳幼児を着座させておくことにより、乳幼児を定位置に留めておくことができるため有効である。
【０００３】
ところが、このような乳幼児用椅子を用いて乳児を沐浴させる場合、地面に対して乳幼児用椅子が特に滑り易くなるため、沐浴させる手間を要するばかりでなく、乳児が転倒して怪我をしてしまうなどの危険性を伴うことがあった。
【０００４】
上記乳幼児用椅子の中には、外側を、可撓性、及び、撥水性を有するシート状の袋体によって形成するとともに、その内部に空気を充填させて椅子型に形成した、いわゆるエア充填型の構成を採るものも多数存在するが、このようなエア充填型の乳幼児用椅子は、一般に軽量であるため、特に安定性が低くなりがちであり、危険性を伴うことがあった。
【０００５】
これに対して、乳幼児用椅子の中でも、地面に対して、しっかりと接地するために下部を地面に吸着させて用いるものが下記特許文献１において開示されている。
【０００６】
上記特許文献１において開示される「椅子等の固定装置」（以下、「固定装置」とする）の構成は、地面に接地される脚部と、該脚部に対して上側に連接された胴体部とを具備している。
【０００７】
さらに、上記特許文献１によれば、上記固定装置には、上記胴体部の上面において荷重受部を張設している。上記脚部、及び、胴部における平面視したときの中央部には、上記荷重受部から下端部まで上下方向に連通する中空室を構成している。
【０００８】
よって、上記荷重受部を、下方へ、すなわち、中空室内へと押し込んで変形させることができる。
【０００９】
このように、荷重受部を変形させることにより、中空室内の空気を上記脚部と地面との間から排出させることができるため、上記固定装置は、その全体を地面に対して吸盤のように吸着させて接地することができ、結果的に、乳幼児の安全性を確保することができる旨の記載がなされている。
【００１０】
しかし、下記特許文献１における上記固定装置は、以下に示すような課題を有するといわざるを得ない。
【００１１】
上記荷重受部を、下方（中空室内）へと押し込んで変形させて吸盤作用により地面に対して接地させた場合、乳幼児が着座する部位、すなわち、上記荷重受部が凹状の形態へと変形し、上述した吸盤作用によりその形態を維持することなる。
【００１２】
これにより、乳幼児が上記固定装置に着座したとき、凹状の形態をした上記荷重受部によって乳幼児の臀部が支持されることになるため、乳幼児を上記固定装置に対して安定して着座させることができる。
【００１３】
しかし、その反面、乳幼児の沐浴（特に先髪）中に流れ出た洗髪後の汚れた湯が凹状に変形した荷重受部に流れ込んで溜まってしまうという事態が容易に予想される。
【００１４】
これにより、乳幼児の近傍に残留する、汚れた湯を完全に洗い流す必要があるため、沐浴に必要以上の時間を要してしまうという課題、或いは、完全に洗い流すことができず、乳幼児の身体に付着したままの状態になってしまい不衛生であるといった課題も有する。
【００１５】
【特許文献１】特許第３１２７２８６号公報
【発明の開示】
【発明が解決しようとする課題】
【００１６】
そこで本発明では、乳幼児をしっかりと着座させておくことができるとともに、乳幼児の近傍に沐浴で汚れた湯が残留し難い乳幼児の沐浴に最適な乳幼児用椅子の提供を目的とする。
【課題を解決するための手段】
【００１７】
本発明の乳幼児用椅子は、接地面に接地させる接地部を下部外周側に有するとともに、乳児が着座する座部を有して形成した乳幼児用椅子であって、上記座部の側へ流れ込んだ液体を乳幼児用椅子本体の内側に有する内部空間へと流入可能とする流入孔を、上記座部、或いは、その近傍部位に形成し、上記接地部の周方向における、少なくとも一部位に、上記内部空間に流入した流体を乳幼児用椅子本体の外側へ流出可能な流出口を形成したことを特徴とする。
【００１８】
上記接地部は、該接地部の周方向における所定の一部位に上記流出口を有して例えば、正面視Ｃ環状に形成することができる。
【００１９】
また、上記乳幼児用椅子は、上記接地部を、複数の接地片を具備して構成されるとともに、乳幼児用椅子本体を接地面に接地させたとき上記流出口が確保される間隔を隔てて、複数の上記接地片を上記接地部における周方向にかけて配設させて構成することができる。
【００２０】
さらに、上記乳幼児用椅子は、上記流出口を、上記接地部における上下方向の所定部位に形成することができる。
【００２１】
さらにまた、上記座部は、乳幼児用椅子本体の中央側に有して、上記接地部により支持された状態で直接、又は、間接的に張設されていることが好ましい。
【００２２】
上記乳幼児用椅子は、上記接地部に対して直接、又は、間接的に積載されている支持部を有し、上記座部は、乳幼児用椅子本体の中央側に有して、上記支持部により支持された状態で直接、又は、間接的に張設されていることを特徴とする。
【発明の効果】
【００２３】
請求項１に係る発明によれば、乳幼児用椅子は、流入孔を座部、或いは、その近傍に形成することにより、例えば、乳幼児の沐浴を行う際に、乳幼児用椅子の座部側へと流入した液体が座部において貯液してしまうことを防止することができる。
【００２４】
そして、汚れた液体を乳幼児が接触することのない上記内部空間へとスムーズに格納させることができる。
【００２５】
さらに、上記接地部を、該接地部自体に流出口が確保された形態で形成することにより、乳幼児用椅子を接地面に接地させたとき、流出口は、接地部により閉塞されてしまうことがなく、内部空間に格納された液体を外側へ流出できるだけの大きさに保つことができる。
【００２６】
よって、乳幼児用椅子は、内部空間に格納した、上記汚れた流体を、上記流出口を通じて乳幼児用椅子に対して外側へスムーズに流出させることができる。
【００２７】
このように、本発明における乳幼児用椅子は、汚れた液体が乳幼児用椅子内に貯液してしまうことがなく、一旦、乳幼児用椅子本体内部に格納した、上記汚れた流体が再度、乳児に接触してしまうこと略回避できる。
【００２８】
上述したように、請求項１に係る乳幼児用椅子は、シャンプーや汚れを含んだ流体が座部側に貯液されることがないため、乳児に対して不快感を与えず、衛生的であり、さらに、沐浴に要する時間を短縮することができるといった効果を有する。
【００２９】
請求項２に係る発明によれば、乳幼児用椅子は、接地部を、上記流出口を有して例えば、正面視Ｃ環状に形成することにより、接地部は、流出口を確保しつつ、接地面に対して広い接触面を確保できる。このため、乳幼児用椅子は、優れた形態安定性を確保した状態でしっかりと接地面に対して接地させることができる。
【００３０】
特に、請求項２に係る発明によれば、乳幼児用椅子は、流出口が接地部の周方向における背面側に形成すれば、上記流出口を通じて内部空間内の液体を、乳幼児に接触し難い、着座している乳幼児の背面側から排出することができる。
【００３１】
請求項３に係る発明によれば、乳幼児用椅子は、複数の上記接地片を接地部における周方向にかけて配設させて構成することにより、上記接地部における周方向にかけて配設させた各接地片に対して均等、且つ、集中的に乳幼児用椅子の荷重を付与した状態で接地面に接地することになる。このため、乳幼児用椅子は、接地面に対して安定して接地することができる。
【００３２】
さらに、接地片を接地部の周方向にかけて均等に配設させれば、互いに隣接する接地片間において、接地部の周方向にかけて有することになる流出口を通じて積極的に液体を排水させることができる。
【００３３】
請求項４に係る発明によれば、上記流出口を、上記接地部における上下方向の所定部位に形成することにより、上記接地部の周方向における流出口を形成した部位も含めた接地部全体を優れた形態安定性に保つことができる。
【００３４】
請求項５に係る発明によれば、乳幼児用椅子本体の中央側に有した上記座部を上記接地部により張設することにより、座部と接地部との一体性を確保できる。
【００３５】
このため、たとえ接地部に流出口を形成することにより接地部の形態安定性が低下する場合であっても、接地部自体の形態安定性を確保でき、ひいては乳幼児用椅子全体の形態安定性も確保できる。
【００３６】
請求項６に係る発明によれば、支持部を上記接地部に対して積載させて構成し、
上記座部が上記支持部により支持された状態で張設された形態により構成することにより、接地部と支持部、及び、支持部と座部との一体性を確保することができる。
【００３７】
このため、たとえ接地部に流出口を形成することにより接地部の形態安定性が低下する場合であっても、接地部自体の形態安定性を確保でき、ひいては乳幼児用椅子全体の形態安定性も確保できる。
【実施例１】
【００３８】
この発明の一実施形態を、以下図面を用いて説明する。  
図１は、本実施形態における乳児用空気入り座椅子１０を左斜め後方側から視た外観を示し、図２は、本実施形態における乳児用空気入り座椅子１０を右斜め前方側から視た外観を示す。さらに、図３、図４、及び、図５は、それぞれ乳児用空気入り座椅子１０の底面図、一部内部構成を示した乳児用空気入り座椅子１０の背面図、乳児用空気入り座椅子１０の左右方向における中央縦断面図を示す。
【００３９】
また、乳児用空気入り座椅子１０を図２中に図示す方向に接地させたときを基準として、乳児用空気入り座椅子１０に対して前方側をＦ、後方側（背面側）をＢ、右方側をＲ、左方側をＬに設定するものとする。
【００４０】
上記乳児用空気入り座椅子１０は、図１から図５に示したように、その下部外周部に床面（地面）に対して接地可能な接地部１１を具備している。さらに、接地部１１の中央部に相当する部位には、乳児Ａが臀部を載置して着座する座部１２を具備している。
【００４１】
上記座部１２は、その外周側部位を上記接地部１１における内周側部位との間に連結部１４を介して接地部１１により支持された状態で張設されている。
【００４２】
上記座部１２には、５つの流入孔１３が形成され、その上下各側を連通させている。上記５つの流入孔１３は、座部１２における外周側において周方向にかけて等分配して形成されている。
【００４３】
上記接地部１１は、上記図３に示したように、底面視円環状をした周方向における１部位を開口させた形態で、すなわち、底面視略Ｃ環状で形成されている。  
これにより、乳児用空気入り座椅子１０は、該乳児用空気入り座椅子本体内部、すなわち、座部１２の下側において、座部１２、接地部１１、及び、連結部１４によって凹状に窪んだ内部空間Ａが構成されることになる。
【００４４】
ここで、上記接地部１１の周方向における上記開口された１部位は、該接地部１１に対して中央側と外側とが互いに連通するよう開口されており、後述詳説するが上記流入孔１３から内部空間Ａへ流入した液体を外部へ流出可能であるため、上記開口された１部位を流出口１８に設定する。
【００４５】
接地部１１は、上記流出口１８が接地部１１の周方向における背面側（Ｂ）に配されているため、図４に示したように、背面において開口している。
【００４６】
さらに、乳児用空気入り座椅子１０は、流出口１８における上部に、保持部１５の背凭れ部１５ａ（後述）と連結部１４との間にもスリット状の連通孔１８ａが形成されることになる。この連通孔１８ａは、座部１２に対して上側に有するため、該座部１２に対して上側に有する湯の一部を、内部空間Ａを介さずに直接、外側へ流出させることができる（図４、及び、図５参照）。
【００４７】
また、上記連結部１４は、断面視すると、上記図５に示したように、上記接地部１１の内周側から上下方向に所定の厚みを有して接地部１１の中心側へ突き出した形態を採り、このように突き出すに従って徐々に幅小となり、その先端部を上記座部１２に連結した形態を採る。
【００４８】
一方、上記接地部１１における上側には、上記座部１２に着座した乳児Ａを外周側から保持する保持部１５を積載させた状態で具備している。  
また、上記座部１２は、上記図５に示したように芯材１２ａを内在させて乳児Ａの臀部を支持可能に形成されている。上記芯材１２ａは、弾性ウレタン部材を平面視略円板形状とした部材により形成されている。
【００４９】
上記保持部１５は、上記座部１２に着座した乳児Ａの背面側に有して主に乳児Ａの背凭れとなる背凭れ部１５ａ、乳児Ａの左右両側に有して主に乳児Ａの肘掛けとなる肘掛け部１５ｂ、及び、上記背凭れ部１５ａと対向する背凭れ対向部１５ｃを具備して形成している。
【００５０】
上記背凭れ部１５ａ、及び、上記肘掛け部１５ｂは、平面視略Ｕ字形状、或いは、平面視略Ｃ環形状をして一体に形成され、乳児用空気入り座椅子１０の前方側（Ｆ）に該Ｕ字形状、或いは、平面視略Ｃ環形状の開口側部位を臨ませて接地部１１に対して一体に形成している。  
ちなみに、上記背凭れ部１５ａにおける上側には、着座した乳児の頭頸部、若しくは、頭部を支持可能な補助背凭れ部１５ｄを具備し、保持部１５の一部を形成している。
【００５１】
上記補助背凭れ部１５ｄの形態は、特に限定せず、枕形など様々な形態により形成してもよいが、本実施例においては、袋状シート部における左右方向において、略等間隔を隔てた５つの部位を熱溶着することにより節部を形成して、上記補助背凭れ部１５ｄは、６つの区画部を備えた帆立貝型（シェル型）の形態により形成している。さらに、上記補助背凭れ部１５ｄは、帆立貝型における基部側に相当する部位を上記背凭れ部１５ａにおける上部に一体に熱溶着してフラップ状に取り付けている。
【００５２】
一方、上記背凭れ対向部１５ｃは、上記接地部１１における前端における着座した乳児Ａの股間部に相当する部位から上記背凭れ部１５ａと対向すべく突設されている。
【００５３】
ところで、乳児用空気入り座椅子１０は、上記接地部１１、上記連結部１４、及び、上記保持部１５を、シート状部材の内部に空気を注入して膨張させた膨張袋状に形成しているが、上記保持部１５、及び、上記連結部１４は、それぞれ上記接地部１１と内部で連通状態に形成されている。さらに、上記保持部１５における上記背凭れ部１５ａ、及び、上記補助背凭れ部１５ｄは、互いに内部において連通状態に形成されている。
【００５４】
さらにまた、乳児用空気入り座椅子１０は、接地部１１の下端部における１部位にのみ、栓部材による開閉により内部に対しての空気の注入、或いは、排出を任意に可能とする空気通過用口部材を具備している（図示せず）。
【００５５】
このように上記乳児用空気入り座椅子１０を構成する上記接地部１１、上記連結部１４、及び、上記保持部１５は、互いに内部において連通させた状態で一体に形成されているため、上記空気通過用口部材に空気を注入するだけで、本実施例における乳児用空気入り座椅子１０は、全体を所望の形態に膨張させることができる。  
勿論、乳児用空気入り座椅子１０は、シェル型に形成した上記補助背凭れ部１５ｄのみを他の部位とは、独立した内部空間に形成するとともに、該補助背凭れ部１５ｄ専用の空気通過用口部材を例えば、補助背凭れ部１５ｄの裏面側に別途、形成した構成であってもよい。
【００５６】
乳児用空気入り座椅子１０は、上記空気通過用口部材に空気を注入して膨張させたとき、上記図１に示したように、上記座部１２が接地部１１の底面に対して凹状に窪んだ凹状形態となる。
【００５７】
本実施例における乳児用空気入り座椅子１０は、上述したように形成している。
【００５８】
以下では、保護者が乳児用空気入り座椅子１０に乳児を着座させて沐浴する実施例を採りあげ、乳児用空気入り座椅子１０が奏する作用、効果について図６を用いて説明する。  
なお、図６をはじめとして全ての図中には、乳児を省略した状態で図示している。
【００５９】
まず、保護者は、風呂場の床面Ｃに接地させた乳児用空気入り座椅子１０に乳児を着座させる。このとき、乳児用空気入り座椅子１０の内部に有する上記内部空間Ａは、図６に示したように周囲を座部１２、接地部１１、及び、床面Ｃなどにより略閉塞された空間が構成されることになる。
【００６０】
ところで、乳児が乳児用空気入り座椅子１０における座部１２に着座すると、該座部１２は、乳児の体重が加わるため、内部空間Ａの側へ押し下げられる（図６の仮想線参照）。これに伴って、弾力を有する保持部１５は、連結部１４、及び、接地部１１を介して乳児の側に傾くよう作用する（図示せず）。これにより、保持部１５は、乳児を着座させた状態に保持することができる。さらに、乳児は、シェル型をした補助背凭れ部１５ｄによって、頭頸部、若しくは、頭部が支持された快適な状態で乳児用空気入り座椅子１０に着座することができる（図示せず）。
【００６１】
さて、上述したように乳児が乳児用空気入り座椅子１０に着座した状態において、例えば、乳児を洗髪するために乳児の頭部側から湯Ｄを流下させた場合、湯Ｄは、乳児の身体と保持部１５との隙間を通じて、凹状形態をしている乳児用空気入り座椅子１０の内側、すなわち、座部１２の側へと流れ込んでくることになる。
【００６２】
ところが、乳児用空気入り座椅子１０は、凹状形態により形成し、その凹底部に相当する座部１２には、上述したように５つの流入孔１３が形成されているため、該流入孔１３を通じて座部１２の側へと流れ込んできた湯Ｄを上記内部空間Ａの側へと流入させることができる（上記図５参照）。
【００６３】
そして、上記内部空間Ａは、上記流出口１８を通じて乳児用空気入り座椅子１０に対して外側と連通しているため、空間部Ａ内へと流れ込んできた湯Ｄを、上記流出口１８を通じて確実に外側へと排水させることができる（図６参照）。
【００６４】
さらに、座部１２に対して上側に有する湯Ｄの一部は、一旦、内部空間Ａに流入させた後で流出する必要がなく、流出口１８における上記連通孔１８ａを通じて直接、外側へ流出させることができる。
【００６５】
本実施例における乳児用空気入り座椅子１０は、上述したように乳児を洗髪する一実施例のようにして用いることができ、次のような特筆すべき効果を得ることができる。  
乳児用空気入り座椅子１０は、接地部１１に１つの流出口１８のみを具備した構成であるが、該流出口１８は、背面側（Ｂ）において、接地部１１を分断させた形態、すなわち、接地部１１における流出口１８に相当する部位は、上下方向の全体が開口した状態で形成している。すなわち、乳児用空気入り座椅子１０は、接地部１１において大きな流出口１８を確保できるため、内部空間Ａに貯液した湯Ｄを積極的に流出させることができる。
【００６６】
よって、沐浴後の湯Ｄとともに流れる、例えば、シャンプーの泡や、塵、髪の毛などにより、流出口１８が閉塞されてしまい流出口１８からの湯Ｄの流出が阻害されるといった事態が生じることがない。
【００６７】
勿論、このように流出口１８を大きく確保しても、乳児用空気入り座椅子１０は、接地部１１における下端部が床面Ｃに対して面接触した状態で接地することができるため、床面Ｃに対して安定性を確保した状態で接地させることができる。
【００６８】
さらに、流出口１８を、接地部１１における背面側（Ｂ）に構成することにより、背面側（Ｂ）からのみ沐浴後の湯Ｄを外側へ流出させることができる。これにより、流出口１８から流出した沐浴後の汚れた湯が乳児用空気入り座椅子の前方向において外側へ突き出している乳児の足に接触し難くなり、乳児の身体に再度、汚れた湯Ｄが接触することがないため、乳児に不快感を与えてしまうことがない。
【００６９】
また、乳児用空気入り座椅子１０は、洗髪後に洗い流したシャンプーなどの洗剤や汚れを含んだ湯Ｄが凹状形態を採る乳児用空気入り座椅子１０の座部１２の側において貯液してしまうことなく、このような湯Ｄを流入孔１３を通じて乳児用空気入り座椅子１０内に有する空間部Ａへとスムーズに流し込むことができる。或いは、連通孔１８ａを通じて直接、外部へ排水させることもできる。このため、乳児の沐浴をスムーズに行うことができる。
【００７０】
加えて、座部１２の上側に湯Ｄが貯液することによって、乳児用空気入り座椅子１０全体の重心が不用意に高くなってしまうことがないため、乳児用空気入り座椅子１０の形態安定性も確保することができる。
【００７１】
しかも、連結部１４は、接地部１１の周方向における流出口１８に相当する部位においては、接地部１１に対して連結されていないが、接地部１１の周方向における流出口１８に相当する以外の部位においては、接地部１１に対して連結されている。このため、接地部１１は、連結部１４を介した状態で座部をしっかりと支持することができるとともに、接地部１１自体を優れた形態安定性（剛生）に保つことができる。
【００７２】
本実施例における乳児用空気入り座椅子１０は、このように様々な効果を奏することができるものの、上記実施例１の形態に限定せず、以下に説明するように、その他にも様々な構成で形成することができる。
【００７３】
但し、乳児用空気入り座椅子における構成のうち、上述した実施例における乳児用空気入り座椅子１０の構成と同様の構成については、同一の符号を付して、その説明を省略する。
【実施例２】
【００７４】
実施例２における乳児用空気入り座椅子２０は、図７、及び、図８に示したように構成している。  
具体的に、実施例２における乳児用空気入り座椅子２０は、接地部２１における流出口１８を、接地部２１における周方向の前方側（Ｆ）にのみに配して構成している。すなわち、実施例２における接地部２１を実施例１の接地部２１と同様に底面視Ｃ環状に形成しているが、接地部（２１）における背面側（Ｂ）には流出口１８は形成されていない。
【００７５】
また、上記乳児用空気入り座椅子２０は、保持部１５に背凭れ対向部１５ｃを具備していない。
【００７６】
さらに、保持部１５における上記開口側部位、及び、接地部２１における流出口１８は、ともに乳児用空気入り座椅子２０の前方側（Ｆ）に構成されているが、実施例２における乳児用空気入り座椅子２０は、保持部１５における開口側部位を、接地部２１の周方向における流出口１８よりも幅大に形成して、接地部２１の流出口１８の縁部における上部に着座している乳児の脚部（特に大腿部）を載置可能に構成している。
【００７７】
上述した形態により、実施例２の乳児用空気入り座椅子２０に乳児が着座した状態において、流入孔１３を通じて内部空間Ａに格納した湯Ｄは、接地部２１の前方側（Ｆ）、つまり、着座している乳児の股間の下側から流出させることができる。このため、乳児の足部を含めて身体に汚れた湯Ｄが接触することなく、流出口１８を通じてスムーズに外部に流出させることができる。
【実施例３】
【００７８】
実施例３における乳児用空気入り座椅子３０は、図９に示したように構成している。  
本実施例においては、乳児用空気入り座椅子３０における流出口１８は、接地部３１の周方向における左右各側に配されることになる。実施例３における乳児用空気入り座椅子３０は、接地部３１を弓状に湾曲させた形態の２つの接地片３１ａ，３１ａから構成され、これら接地片３１ａ，３１ａを前（Ｆ）後（Ｂ）各側で互いに対向するよう接地部３１における周方向に配設して構成される。
【００７９】
上述したように実施例３における乳児用空気入り座椅子３０は構成されるため、２つの接地片３１ａ，３１ａにより床面Ｃに対して安定して接地でき、
接地部３１の左右各側に有する２つの流出口１８，１８から内部空間Ａの湯を流出させることができる。
【００８０】
接地部は、前述した実施例１の接地部１１、或いは実施例２の接地部２１のように、その周方向における１部位を分断させて１つの流出口１８を具備した限定せず、本実施例３の接地部のように、２以上の流出口１８を具備して形成することができ、さらに、接地部における流出口１８を設ける部位も限定しない。
【実施例４】
【００８１】
乳児用空気入り座椅子４０は、図１０に示したように構成することもできる。
【００８２】
すなわち、実施例４における乳児用空気入り座椅子４０は、接地部４１の周方向において下部のみを開口させた６つの流出口１８を有して形成している。
【００８３】
上記流出口１８は、接地部３１の周方向において例えば、６０度ピッチで配設されている。
【００８４】
実施例４における乳児用空気入り座椅子４０は、その内部に空気を充填させても、接地部４１表面に構成するシート状部材を、流出口１８に対応する部位が空気圧に反して凹状の形態に保たれるよう構成している。
【００８５】
上述したように構成すれば、接地部４１に流出口１８を形成しても、流出口１８は、接地部４１の上部側に有していないため、接地部４１と保持部１５との結合を流出口１８によって阻害されることがなく、互いに周方向全体を、しっかりと結合することができる。従って、接地部４１に流出口１８を形成しても乳児用空気入り座椅子４０全体の形態安定性を確保することができる。
【００８６】
このように乳児用空気入り座椅子４０は、前述した実施例のように流出口１８により周方向において分断された形態の接地部４１に限定せず、本実施例４のように接地部４１の上下方向における一部にのみ流出口１８を構成することができる。
【実施例５】
【００８７】
実施例５における乳児用空気入り座椅子５０は、図１１、及び、図１２に示したように構成することができる。実施例５の乳児用空気入り座椅子５０は、上部に断面視円筒状をした保持部１５が配され、上下方向の中間部に断面視円筒状をした支持部５９が配され、下部に接地部５１が配された形態になるよう段状に積載させた形態を採る。
【００８８】
また、上記保持部１５は、前述した実施例１から実施例４までにおける保持部１５と同様に、正面視Ｃ環状、或いは、Ｕ字型形態である。
【００８９】
上記支持部５９は、正面視円環状をした形態である。さらに、上記支持部５９には、前述した実施例における乳児用空気入り座椅子１０，１２０，３０，４０のように、接地部１１，２１，３１，４１に対する座部１２の連結部１４を介した取り付けと同様に、座部１２が連結部１４を介して張設されている。
【００９０】
最後に、上記接地部５１は、６つの接地片５１ａ…から構成され、支持部５９の下端部からこれら６つの接地片５１ａ…を突設させた形態であるとともに、接地部５１の周方向において流出口１８を隔てて等間隔（角度）に配設している。
【００９１】
このように、実施例５における乳児用空気入り座椅子５０は、上下方向の中間部位に剛性を確保できる閉ループ型をした正面視円環状の支持部５９を介して構成することにより、形態安定性を確保することができる。
【００９２】
しかも、たとえ本実施例のように接地部５１は、６つの接地片５１ａ…を具備した構成した場合であっても、支持部５９を正面視円環状に構成することにより、その周方向におけるいずれの部位からでも接地片５１ａを突設させた状態で配設させることが可能となる。
【００９３】
このため、接地部の全周にわたって均等な間隔で存在する合計６つ流出口１８を通じて内部空間Ａに流入した湯Ｄをスムーズに外側へ流出させることができる。
【００９４】
また、上述の実施形態と、この発明の構成との対応において、この実施形態の乳児用空気入り座椅子１０，２０，３０，４０，５０は、この発明の乳児用椅子に対応し、以下同様に、
床面Ｃは、接地面に対応し、
乳児は、乳幼児に対応するも、
この発明は、上述の実施形態の構成のみに限定されるものではなく、上述したように多くの実施の形態を得ることができる。
【図面の簡単な説明】
【００９５】
【図１】実施例１における乳児用空気入り座椅子を斜め後方から視た外観図。
【図２】実施例１における乳児用空気入り座椅子を斜め前方から視た外観図。
【図３】実施例１における乳児用空気入り座椅子の底面図。
【図４】一部内部構成を示した実施例１における乳児用空気入り座椅子の背面図。
【図５】実施例１における乳児用空気入り座椅子の左右方向における中央部位の縦断面図。
【図６】実施例１における乳児用空気入り座椅子における要部を拡大して示した使用状態を説明する説明図。
【図７】実施例２における乳児用空気入り座椅子を斜め前方から視た外観図。
【図８】実施例２における乳児用空気入り座椅子の底面図。
【図９】実施例３における乳児用空気入り座椅子の底面図。
【図１０】実施例４における乳児用空気入り座椅子を斜め後方から視た外観図。
【図１１】実施例５における乳児用空気入り座椅子を斜め前方から視た外観図。
【図１２】実施例５における乳児用空気入り座椅子の底面図。
【符号の説明】
【００９６】
１０，２０，３０，４０，５０…乳児用空気入り座椅子
１１，２１，３１，４１，５１…接地部
１２…座部
１３…流入孔
１８…流出口
Ａ…内部空間
【図１】
2007185401.tif 000003
【図２】
2007185401.tif 000004
【図３】
2007185401.tif 000005
【図４】
2007185401.tif 000006
【図５】
2007185401.tif 000007
【図６】
2007185401.tif 000008
【図７】
2007185401.tif 000009
【図８】
2007185401.tif 000010
【図９】
2007185401.tif 000011
【図１０】
2007185401.tif 000012
【図１１】
2007185401.tif 000013
【図１２】
2007185401.tif 000014